(57)【要約】      （修正有）【課題】長時間使用しても高温になりにくい太陽電池モジュール用ジャンクションボックスを提供する。【解決手段】太陽電池モジュール用ジャンクションボックスは、胴体１と、誘電部品と、熱伝導ゲル３とを備える。導電部品は、胴体１に装着され、熱伝導ゲル３は、導電部品を取り囲むように胴体１上に配置される。【選択図】図１
0003179364.tif 000002
【実用新案登録請求の範囲】
【請求項１】
胴体（１）と、前記胴体（１）に設けられる導電部品（２）と、を含み、
胴体（１）に前記導電部品（２）を取り囲み、且つ、前記導電部品（２）に熱伝導する熱伝導ゲル（３）が設けられることを特徴とする太陽電池モジュール用ジャンクションボックス。
【請求項２】
前記導電部品（２）は、チップ構造の導電部であることを特徴とする請求項１に記載の太陽電池モジュール用ジャンクションボックス。
【請求項３】
胴体（１）にはさらに、前記導電部品（２）と前記熱伝導ゲル（３）にカプセル化を行う上カバー（４）が設けられることを特徴とする請求項１に記載の太陽電池モジュール用ジャンクションボックス。
【考案の詳細な説明】
【技術分野】
【０００１】
本考案は、太陽電池モジュール装置の技術分野に関し、特に、太陽電池モジュール用ジャンクションボックスに関する。
【背景技術】
【０００２】
太陽電池モジュール用ジャンクションボックス（以下、ジャンクションボックスと略記）は、太陽光発電・ソーラーパネルに装着される導電接続用の部品である。ジャンクションボックス内に配線部品を設け、配線部品を導電性を有する導体と給電線路との接続に用い、給電線路を用いて太陽電池パネルによる発電を電力網に導入する。
【０００３】
従来のジャンクションボックスは、長時間使用後において放熱効果が劣り、高出力太陽電池モジュールの使用ニーズを満たすことができず、且つ、ジャンクションボックスの使用後の温度が高いので、ジャンクションボックスのシール性能に長時間使用後でのＩＰ６７テストを通過させにくい。
【０００４】
上記のとおり、ジャンクションボックスの長時間使用後の高温問題をどう解決するか、当業者が早く解決すべき問題となる。
【考案の概要】
【考案が解決しようとする課題】
【０００５】
本考案は、太陽電池モジュール用ジャンクションボックスを提供するために、その構造設計により、その長時間使用後の高温問題を解決することを目的とする。
【課題を解決するための手段】
【０００６】
上記の技術的課題を解決するために、本考案の太陽電池モジュール用ジャンクションボックスは、胴体及び胴体に設けられる導電部品を含み、胴体に前記導電部品を取り囲み、且つ、前記導電部品に熱伝導する熱伝導ゲルが設けられるものである。
【０００７】
この太陽電池モジュール用ジャンクションボックスにおいて、前記導電部品は、チップ構造の導電部品であることが好ましい。
【０００８】
この太陽電池モジュール用ジャンクションボックスにおいて、前記胴体に前記導電部品と熱伝導ゲルにカプセル化する上カバーが設けられることが好ましい。
【考案の効果】
【０００９】
本考案の太陽電池モジュール用ジャンクションボックスは、胴体及び胴体に設けられる導電部品を含む。本考案は従来の太陽電池モジュール用ジャンクションボックスの構造に基づき、以下のような構造の最適化を行った。すなわち、胴体に導電部品を取り囲み、且つ、導電部品に熱伝導する熱伝導ゲルが設けられる。熱伝導ゲルは、サーマルシリカと言われ、有機珪素ゲルを主体にし、フィラーや熱伝導性材料などの高分子材料を添加し、混練することによって生成する珪素ゲルであって、良好な熱伝導性、電気絶縁性を有する。
【００１０】
胴体に導電部品を取り囲む熱伝導ゲルを設け、導電部品から発生した熱量をタイムリーに胴体に伝導でき、導電部品の蓄熱を減らし、また、封止に効果的な役割を果たすとともに、太陽電池モジュール用ジャンクションボックスの長時間使用後の高温の発生を避けることができる。
【図面の簡単な説明】
【００１１】
本考案の実施例を簡単明瞭に説明するために、以下、図面に基づいて本考案の実施例を表現するが、明らかに下記の図面は本考案の実施例のみを示しており、当業者にとっては創造性の労働を払わない前提の下で、さらに、提供する図面に基づいて他の構成を採用し得る。
【００１２】
【図１】本考案の実施例の胴体の構造の模式図である。
【図２】本考案の実施例の導電部品の構造の模式図である。
【図３】本考案の実施例の上カバーの構造の模式図である。
【考案を実施するための形態】
【００１３】
本考案の核心は、太陽電池モジュール用ジャンクションボックス（以下、ジャンクションボックスと略記）を提供するために、ジャンクションボックスにおいて胴体に熱伝導ゲルを設けることによって、ジャンクションボックスの長時間使用後の高温問題を解決することにある。
【００１４】
当業者に本考案を十分に理解させるために、以下、添付図面を参照して本考案の好適な実施の形態を詳細に説明する。
【００１５】
図１は本考案の実施例の胴体の構造の模式図である。
【００１６】
本考案は、ジャンクションボックスを提供し、胴体１及び胴体１に設けられる導電部品２を含む。従来のジャンクションボックスの長時間使用後の「発熱問題」を解決するために、本考案は、従来のジャンクションボックスの構造に基づき、以下のような構造の最適化を行った。すなわち、胴体１に導電部品２を取り囲み、且つ、導電部品２に熱伝導する熱伝導ゲル３が設けられる。
【００１７】
熱伝導ゲルは、サーマルシリカと言われ、有機珪素ゲルを主体にし、フィラーや熱伝導性材料などの高分子材料を添加し、混練することによって生成する珪素ゲルであって、良好な熱伝導性、電気絶縁性を有する。胴体１に導電部品２を取り囲む熱伝導ゲル３を設け、導電部品２から発生した熱量をタイムリーに胴体１に伝導でき、導電部品２の蓄熱を減らし、また、封止に効果的な役割を果たすとともにジャンクションボックスの長時間使用後の高温の発生を避けることができる。
【００１８】
図２は本考案の実施例の導電部品の構造の模式図である。
【００１９】
導電部品２の蓄熱を減らすために、本考案の実施例の導電部品２はチップ構造の導電部品である。自己発熱部品(本考案の導電部品)の表面積が大きいとき、この部品のための大きな放熱面積を提供して蓄熱を減らすことができる。これにより、本考案において、チップ構造の導電部品を採用して本考案の放熱効果を高めることができる。
【００２０】
図３は本考案の実施例の上カバーの構造の模式図である。
【００２１】
従来の構造と同じように、本実施例の胴体１に導電部品２と熱伝導ゲル３にカプセル化する上カバー４が設けられる。
【００２２】
本考案のジャンクションボックスは、胴体１、熱伝導ゲル３、導電部品２、上カバー４、及び密封キャップを含む。外部ケーブルと導電部品２とを接続し、ダイオードと導電部品２とをはんだ付けする。その後、導電部品２全体を胴体１に装着し、次に、胴体１内に熱伝導ゲル３を設ける。顧客は、設置するときに、バスバーと導電性部品２をはんだ付けした後で密封キャップを覆うと使用することができる。
【符号の説明】
【００２３】
１    胴体
２    導電部品
３    熱伝導ゲル
４    上カバー
【図１】
0003179364.tif 000003
【図２】
0003179364.tif 000004
【図３】
0003179364.tif 000005
【手続補正書】
【提出日】平成24年8月28日(2012.8.28)
【手続補正１】
【補正対象書類名】実用新案登録請求の範囲
【補正対象項目名】全文
【補正方法】変更
【補正の内容】
【実用新案登録請求の範囲】
【請求項１】
胴体（１）と、
導電性を有し、発熱する導電部品（２）と、
前記導電部品（２）の発熱を前記胴体（１）に伝導する熱伝導ゲル（３）と、を備え、
前記導電部品（２）は、前記胴体（１）に装着され、
前記熱伝導ゲル（３）は、前記導電部品（２）を取り囲むように前記胴体（１）上に配置されることを特徴とする太陽電池モジュール用ジャンクションボックス。
【請求項２】
前記導電部品（２）は、チップ構造の導電部であることを特徴とする請求項１に記載の太陽電池モジュール用ジャンクションボックス。
【請求項３】
前記導電部品（２）及び前記熱伝導ゲル（３）を密封するように前記胴体（１）に取り付けられる上カバー（４）をさらに備えたことを特徴とする請求項１に記載の太陽電池モジュール用ジャンクションボックス。
【手続補正２】
【補正対象書類名】明細書
【補正対象項目名】０００６
【補正方法】変更
【補正の内容】
【０００６】
上記の技術的課題を解決するために、本考案の太陽電池モジュール用ジャンクションボックスは、胴体と、導電性を有し、発熱する導電部品と、前記導電部品の発熱を前記胴体に伝導する熱伝導ゲルと、を備え、前記導電部品は、前記胴体に装着され、前記熱伝導ゲルは、前記導電部品を取り囲むように前記胴体上に配置されるものである。
【手続補正３】
【補正対象書類名】明細書
【補正対象項目名】０００８
【補正方法】変更
【補正の内容】
【０００８】
この太陽電池モジュール用ジャンクションボックスにおいて、前記導電部品及び前記熱伝導ゲルを密封するように前記胴体に取り付けられる上カバーをさらに備えたことが好ましい。
【手続補正４】
【補正対象書類名】図面
【補正対象項目名】図３
【補正方法】変更
【補正の内容】
【図３】
0003179364.tif 000006